(57)【特許請求の範囲】
【請求項１】
法面の設置面上に設置されて、当該法面の植生を行う植生マットであって、
ジュート、綿、あるいはパルプ等の天然繊維によって、厚さ３ｍｍ〜１０ｃｍに形成したマット基材と、このマット基材に互いに平行で交互に位置する多数の切れ込みを入れることにより形成されて、互いに連続して切れ込み端面が内側壁面となる基材帯部と、前記マット基材の一部に形成されて、前記切れ込みが存在せず、かつ前記各切れ込みの方向と略平行となる無開口帯部と、前記各切れ込みを開くことにより形成した多数の開口と、前記マット基材の表面または裏面に一体化した保形網とを備えたことを特徴とする植生マット。
【請求項２】
前記マット基材の裏面側に植生帯を一体化したことを特徴とする請求項１に記載の植生マット。
【請求項３】
ジュート、綿、あるいはパルプ等の天然繊維によって、厚さ３ｍｍ〜１０ｃｍに形成したマット基材に、内側壁面が法面の設置面に対して立ち上がることになる基材帯部と、多数の開口とを形成し、かつ前記マット基材に、植生帯及び保形網を一体化した植生マットを、次の各工程を経て製造することを特徴とする植生マットの製造方法。
（１）前記マット基材に、互いに平行で交互に位置する多数の切れ込み入れることにより、互いに連続して切れ込み端面が内側壁面となる基材帯部と、前記切れ込みが存在しないで、かつ前記各切れ込みの方向と略平行となる無開口帯部とを形成する工程；
（２）前記マット基材に、前記各切れ込みの方向と直交または略直交する方向の引張力を与えて、前記無開口帯部を残したまま、前記各切れ込みを開いて前記各開口とする工程；
（３）前記マット基材の表面または裏面に保形網を一体化する工程；
（４）前記マット基材の裏面側に植生帯を一体化する工程。
【発明の詳細な説明】
【技術分野】
【０００１】
本発明は、堤防や法面等における裸地の植生を行うために使用するマット、及びその製造方法に関し、特に、保温機能及び流亡防止機能を高めた植生マット、及びその製造方法に関するものである。
【背景技術】
【０００２】
補修後の堤防、新規造成地の法面、あるいは道路の切り通し箇所における斜面等の裸地では、例えば特許文献１や２に示されているように、その表面に「植生」を行うことによって保護することが種々なされてきている。「植生」は、コンクリートやコンクリートブロックで法面等の表面の養生を行うのとは異なって、生きた植物を利用するものであるから、周囲の景観を維持し、保水効果も高く、環境に優しい工法として近年では多用されてきているものである。
【０００３】
特許文献１には、「硬質土壌や岩盤地等の法面にもなじみやすく、かつ種子が根を張りやすい植生用マットを提供する」ことを目的として開発された「植生用マット」が記載されており、この植生用マットは、図９にも示すように、「植物種子、土壌改良材、有機質肥料、保水材等を混合して形成された植生基材４の下面に、相互に所定間隔をおいて形成された穿孔またはスリット等の貫通部２，…を有する肥料入りのジュート繊維フェルト１を設けると共に、これらの上下両面を腐食性の布または紙３，５で被覆縫合して一体的に形成している」といった構成を有しているものである。
【０００４】
また、特許文献２に記載された「金網付き植生ネット」は、「積雪地帯においては、通常の植生ネットでは、雪の重みや、崩落（雪崩）等で切断されてしまうことがあり、充分に法面を保護することができない場合があった。また、合成繊維材でネットを形成した場合、腐食することがなく、あとに残るため公害問題が発生する」ことに着目して、「積雪地帯において雪の重みに耐え、かつ、公害問題を発生させないようにした植生ネットを提供すること」を目的としてなされたもので、図１０に示すように、例えば「粗目のヤシネットの上片面に金網を装着し、下片面に植生マットを装着し、これら金網，ヤシネット，植生マットを一体的に適宜の目合いに縫合してあり、前記金網は、０．５〜３．０ｍｍ径の線材を使用し、３０〜５０ｍｍの目合いを有し、また、前記ヤシネットが１〜１０ｍｍ径のヤシ繊維の撚り紐を１０×１０ｃｍ当たり５〜１５本になるように編織されてなり、さらに、前記植生マットは、腐食性ネットの片面に薄綿を接着したものに種子、肥料を接着してなることを特徴とする金網付き植生ネット」（請求項１）という構成を有したものである。
【特許文献１】特開平８−３３８０２５号公報、要約、代表図
【特許文献２】特許第３４３６６６２号掲載公報
【発明の開示】
【発明が解決しようとする課題】
【０００５】
上記特許文献１及び２に記載された「植生用マット」あるいは「植生ネット」では、
（イ）硬質土壌や岩盤地等の法面にもなじみやすく、かつ種子が根を張りやすい植生用マットを提供する（特許文献１）
（ロ）雪の重みや、崩落（雪崩）等で切断されてしまうことがないようにして、充分に法面を保護すること（特許文献２）
（ハ）合成繊維材でネットを形成した場合の公害問題発生を防止すること（特許文献２）
について考慮しているものであり、そのための構成を採用することによりそれぞれ目的としていることを達成していると考えられるが、次のような点に難があると考えられる。
【０００６】
つまり、特許文献１では、図９に示したように、「植物種子、土壌改良材、有機質肥料、保水材等を混合して形成された植生基材４の下面に、相互に所定間隔をおいて形成された穿孔またはスリット等の貫通部２，…を有する肥料入りのジュート繊維フェルト１を設ける」ものであるため、植生基材４中の植物種子が発芽して根を伸ばそうとしても、この「ジュート繊維フェルト１」に邪魔される確率が高く、仮に「穿孔またはスリット等の貫通部２」が存在したとしても、生育が困難になるのではないかと考えられる。
【０００７】
また、この特許文献１では、図９に示したように、「ジュート繊維フェルト１」に「穿孔またはスリット等の貫通部２」を形成しなければならないが、この「貫通部２」は常に開いていないと意味がないため「パンチング加工」あるいは「打ち抜き加工」を施さなければならない。つまり、「パンチング加工」あるいは「打ち抜き加工」を施した際には、「貫通部２」分の大きさのゴミが「ジュート繊維フェルト１」から発生するため、処理を余儀なくされることになる。
【０００８】
一方、特許文献２の植生ネットでは、「ヤシネットが１〜１０ｍｍ径のヤシ繊維の撚り紐を１０×１０ｃｍ当たり５〜１５本になるように編織」されてなるものであるから、「植生基材６」中の植物種子が発芽・生育するための水分の保水性と、保温性とが悪いと考えられる。従って、この特許文献２の植生ネットでは、「植生基材６」中に大量の保水材を添加しておかなければならないし、保温性を確保するための「水解性の紙布片３あるいは４」を必要としていると考えられる。
【０００９】
そこで、本発明者等は、この種の植生シートについて、ジュート等の自然繊維を使用したマット基材を使用しながらも、開口（貫通孔）を形成してもゴミが発生せず、保水性や保温性にも優れ、しかも十分な流亡防止を図ることのできるものとするにはどうしたらよいか、について種々検討を重ねてきた結果、本発明を完成したのである。
【００１０】
すなわち、本発明の目的とするところは、その製造工程においてゴミが全く発生せず、保水性や保温性にも優れ、しかも十分な流亡防止を図ることのできる植生シート及びその製造方法を、簡単な構造によって提供することにある。
【課題を解決するための手段】
【００１１】
以上の課題を解決するために、まず、請求項１に係る発明の採った手段は、後述する最良形態の説明中で使用する符号を付して説明すると、
「法面２０の設置面２１上に設置されて、当該法面２０の植生を行う植生マット１０であって、
ジュート、綿、あるいはパルプ等の天然繊維によって、厚さ３ｍｍ〜１０ｃｍに形成したマット基材１１と、このマット基材１１に互いに平行で交互に位置する多数の切れ込み１４を入れることにより形成されて、互いに連続して切れ込み端面が内側壁面１１ｂとなる基材帯部１１ａと、マット基材１１の一部に形成されて、切れ込み１４が存在せず、かつ各切れ込み１４の方向と略平行となる無開口帯部１６と、各切れ込み１４を開くことにより形成した多数の開口１２と、マット基材１１の表面または裏面に一体化した保形網１５と、マット基材１１の裏面側に一体化した植生帯１３とを備えたことを特徴とする植生マット１０」
である。
【００１２】
この請求項１に係る植生マット１０は、まず、図１〜図６に示すように、ジュート、綿、あるいはパルプ等の天然繊維によって、厚さ３ｍｍ〜１０ｃｍに形成したマット基材１１と、このマット基材１１に形成されて、互いに連続して端面が内側壁面１１ｂとなる基材帯部１１ａと、マット基材１１に形成された多数の開口１２と、マット基材１１の表面または裏面に一体化した保形網１５と、マット基材１１の裏面側に一体化した植生帯１３とを備えたものである。
【００１３】
ここで、この植生マット１０を構成しているマット基材１１がジュート、綿、あるいはパルプ等の天然繊維によって形成したものである必要があるが、その第１の理由は、この種の植生マット１０は、一旦法面２０の設置面２１上に設置した後はそのまま放置しておくものであり、そのことによってこのマット基材１１が自然界で自然に分解される必要があるからである。その第２の理由は、このマット基材１１が分解されたものが、植生植物の肥料にもする必要があるからである。
【００１４】
また、この植生マット１０を構成しているマット基材１１の厚さが３ｍｍ〜１０ｃｍであることが必要であるが、その第１の理由は、このマット基材１１によって、保温及び保水機能を十分発揮させる必要があるからであり、第２の理由は、開口１２内あるいはこれに向けて流れたきた土砂３０を内側側面１１ｂで止めてその流亡防止を図るためである。その意味では、このマット基材１１の厚さが３ｍｍより小さいと、十分な保温及び保水機能を発揮する植生マット１０とすることができないからであり、逆に、このマット基材１１の厚さが１０ｃｍより大きいと、植生マット１０としての加工が行いにくいだけでなく、保水機能について厚くした程の効果が得られないのである。
【００１５】
さらに、この植生マット１０は、上述したマット基材１１に、特に図２の（ｂ）に示すように、基材帯部１１ａを連続状態となるように多数形成したことが必要である。これらの基材帯部１１ａが連続していることにより、後述する植生帯１３が存在していたり、法面２０の表面が凸凹であったとしても、後述する開口１２の存在とも相まって、設置面２１上に密着状態で設置される、つまり所謂「不陸（浮き上がり）」状態が回避されるからである。換言すれば、各基材帯部１１ａは、文字通り帯状物となっていることから十分な可撓性を有したものとなっているため、法面２０上の凸凹に応じて容易に変形するとともに、これらの基材帯部１１ａ間の開口１２内によっても凸凹が吸収されるのである。
【００１６】
以上のように、この植生マット１０がその基材帯部１１ａの存在によって法面２０上に密着状態で施工されれば、下側に対する保温効果が十分となるだけでなく、散水または降雨によって吸収したあるいは法面２０中の水分の保持、つまり保水効果が十分となるのである。
【００１７】
このとき、マット基材１１の各基材帯部１１ａが連続状態となっていることにより、図２の（ｂ）中の矢印にて示すように、当該マット基材１１が吸い取った雨水等の水分を上方から下方に流す一種の排水路を形成することは重要である。何故なら、降雨によって法面２０上の土砂が洗掘されるのは、法面２０上に対する直接的かつ急激な水流が発生するからであるが、各基材帯部１１ａは、法面２０上を保護しているだけでなく、排水路を形成しているものであるから、法面２０上に対する直接的かつ急激な水流を発生させないからである。従って、当該植生マット１０は、法面２０に対する「流亡防止」を果たすものとなっているのである。
【００１８】
そして、これらの基材帯部１１ａの切り込み端面、すなわち内側壁面１１ｂは、法面２０の設置面２１に対して立ち上がるものとなる必要がある。その理由は、図２の（ａ）及び（ｂ）にそれぞれ示すように、この内側端面１１ｂが、上方から流れて降りてきた、あるいは開口１２内で露出した土砂３０を堰止めるものとなって、土砂３０の流亡防止を図る必要があるからである。
【００１９】
さて、以上のマット基材１１には開口１２を形成する必要がある。これらの各開口１２は、当該植生マット１０を法面２０上に設置した場合に、図１にも示すように開口していて、飛来種子を捕捉することができるものとなっているのである。この場合、各開口１２内において、各基材帯部１１ａの内側壁面１１ｂが法面２０の設置面２１に対して立ち上がっていたから、捕捉した飛来種子をその後の風等の力によって当該開口１２から再び外に出てしまうことが阻止されている。
【００２０】
以上のような各開口１２は、図６に示すようにして簡単に形成される。すなわち、図６の（ａ）に示すように、まず、マット基材１１に互いに平行で交互に位置する多数の切れ込み１４を入れる。次いで、図６の（ｂ）に示すように、マット基材１１に、各切れ込み１４の方向と直交または略直交する方向の引張力を与えて、各切れ込み１４を開いて各開口１２とするのである。そして、これら各開口１２が閉じないようにすること、つまりその保形は、マット基材１１に後述する植生帯１３や保形網１５を一体化してマット基材１１の復元力を阻止することにより行われる。
【００２１】
このように各開口１２を形成すれば、例えばマット基材１１に打ち抜き加工（所謂パンチング）によって多数の開口１２を形成する場合に比較すれば、開口１２分のマット基材１１を無駄にすることがなく、開口１２分の切りくずをゴミとすることもないのである。
【００２２】
そして、この植生シート１０については、図１〜図４に示すように、そのシート基材１１の表面または裏面に保形網１５を一体化する必要がある。この保形網１５は、後述する植生帯１３の存在の有無に拘わらず各開口１２の形状を維持する、つまり、各開口１２が開口したままの状態を維持し易くなるようにするものだからである。
【００２３】
このような保形網１５としては、金属線材を網状に編み込んだもの、金属薄板にパンチングを施したもの、あるいは所定の剛性を有する合成樹脂繊維や天然繊維によって網として形成したもの、さらには厚紙に穴を多数形成したもの、いずれのものも適用できる。
【００２４】
以上のように構成した植生マット１０は、通常巻回して保管や運搬がなされるが、その巻回した植生マット１０を、例えば法面２０の上側から設置面２１上に展開し、その上から目串等を法面２０に対して打つことにより施工される。そうすると、この植生マット１０によって、図１に示すように、法面２０の設置面２１上には多数の開口１２が開口するとともに、この開口１２を含む設置面２１上は流亡や崩落が防止されることになるのである。そして、この植生マット１０の施工後に、散水したり雨が降ったりすると、水の一部がマット基材１１に吸収されるのである。
【００２５】
従って、この請求項１の植生マット１０は、まず、その製造工程においてゴミが全く発生せず、保水性や保温性にも優れ、しかも十分な流亡防止を図ることができるものとなっているのである。
【００２６】
また、上記課題を解決するために、請求項２に係る発明の採った手段は、上記請求項１に記載の植生マット１０について、
「マット基材１１の裏面側に植生帯１３を一体化したこと」
である。
【００２７】
すなわち、この請求項２の植生マット１０は、そのシート基材１１の裏面側に、帯内種子１３ａを添着または接着した植生帯１３を一体化ものであることが必要である。この場合、「シート基材１１の裏面側」とは、シート基材１１の裏面に直接一体化する場合（図１〜図４に示したものの場合）と、シート基材１１の裏面にまず後述する保形網１５を一体化しておきこの保形網１５を挟んで植生帯１３をシート基材１１に一体化する場合（図５に示したものの場合）とをも含む意味である。
【００２８】
この植生帯１３は、シート基材１１を構成するシート材を薄く形成したものであってもよいが、紙、合成繊維や天然繊維によって網状あるいは布状に形成したもの、合成繊維や天然繊維によって形成した不織布等の素材が適用できる。また、この植生帯１３には、上記帯内種子１３ａの他、保水材、土壌改良材、または肥料を添着または接着したもの、あるいはその近傍で採取された在来植物の種子を添着または接着したもの、さらにはこれらの保水材、土壌改良材、または肥料、あるいは在来植物の種子の混合物を添着あるいは接着したものであってもよい。
【００２９】
この植生帯１３は、これがマット基材１１の裏面側に一体化してあることによって、切り込み１４を広げて形成した上述した各開口１２の閉じを阻止することになる。また、この植生帯１３は法面２０の設置面２１上に直接接触するから、当該法面２０あるいは設置面２１上を直接覆うことになり、これによって法面２０の流亡（法面２０を構成している土が雨等の水の流れによって流れ去ってしまうこと）防止を図ることができる。
【００３０】
また、植生帯１３が、これに保水材、土壌改良材、または肥料を添着または接着したものである場合、帯内種子１３ａは勿論、各開口１２によって捕捉した飛来種子を生育させるための水、土壌改良材、または肥料を供給することができるし、近傍で採取された在来植物の種子を添着または接着したものである場合、この在来植物による植生が行える。
【００３１】
そして、この植生シート１０についても、図１〜図４に示すように、そのシート基材１１の表面または裏面に保形網１５を一体化したものであるが、この保形網１５は、上記植生帯１３とも協働してシート基材１１に形成してある各開口１２の形状を維持する、つまり、各開口１２が開口したままの状態を維持するのである。
【００３２】
以上のように、この植生マット１０が法面２０上に密着状態で施工されれば、下側の植生帯１３中の種子１３ａに対する保温効果が十分となるだけでなく、散水または降雨によって吸収したあるいは法面２０中の水分の保持、つまり保水効果が十分となるのである。
【００３３】
以上のように構成した植生マット１０は、前述したように、通常巻回して保管や運搬がなされるが、その巻回した植生マット１０を、例えば法面２０の上側から設置面２１上に展開し、その上から目串等を法面２０に対して打つことにより施工される。そうすると、この植生マット１０によって、図１に示すように、法面２０の設置面２１上には多数の開口１２が開口するとともに、この開口１２を含む設置面２１上は植生帯１３によって流亡や崩落が防止されることになるのである。
【００３４】
この植生マット１０の施工後に、散水したり雨が降ったりすると、水の一部がマット基材１１や植生帯１３に吸収され、気温や地温が適度である場合には、植生帯１３内の帯内種子１３ａが発芽して生育を始めるため、施工直後の法面２０の植生が果たせるのである。
【００３５】
なお、植生帯１３は、これに少なくとも草本類植物の種子１３ａを添着または接着したものであったが、その添着または接着量は、１０ｇ／ｍ2以下であることが好ましい。このような言わば少ない量の帯内種子１３ａであっても、特にマット基材１１の各開口１２から露出している部分の植生帯１３においては、その周囲がマット基材１１によって法面２０に押さえ付けられており、植生帯１３自体の吸水性によって発芽に必要な水分は確保されているため、少なくとも各開口１２から露出している部分での帯内種子１３ａの発芽及び生育は確実になされる。
【００３６】
換言すれば、以上のような量の帯内種子１３ａであっても、この請求項２に係る植生マット１０は、施工直後の植生を十分行えるのであり、施工直後の法面２０上に植物による保護ができるのである。勿論、帯内種子１３ａの量がこの程度であれば、各開口１２にて捕捉された飛来種子の被圧をすることもなく、在来植物の駆逐を行う程の繁茂をすることもないのである。
【００３７】
従って、この請求項２の植生マット１０は、まず、請求項１のそれと同様な機能を発揮することは勿論、種子１３ａを有する植生帯１３使用したことによって、そのまま施工しても植生が行えるものとなっているのである。
【００３８】
そして、以上の請求項１または２の植生マット１０については、
「マット基材１１の一部に、切れ込み１４が存在せず、かつ各切れ込み１４の方向と略平行となる無開口帯部１６を形成したこと」
がなされるのである。
【００３９】
すなわち、この植生マット１０では、図７の（ａ）に示すように、マット基材１１の一部に、切れ込み１４が存在せず、かつ各切れ込み１４の方向と略平行となる無開口帯部１６を形成したものである。この無開口帯部１６は、マット基材１１を、図７の（ａ）の図示上下に引っ張って各切れ込み１４を開いて開口１２とした場合でも、図７の（ｂ）に示すように、その上下幅が全く変わらない部分として存在するものである。
【００４０】
もし、このような無開口帯部１６がなくて、しかも当該植生マット１０が上下に長いものであると、図８に示すような現象が起きる可能性がある。すなわち、図８に示した植生マット、つまり植生マットの端縁にも多数の切れ込みが位置している植生マットを、図示上下に引っ張って各切れ込みを開いて開口としたとすると、図８の（ｂ）に示すように、植生マットの両側に円弧状の隙間２３が形成される。
【００４１】
このような隙間２３が形成されてしまうのは、各切れ込みを広げたときできる橋渡し部分、つまり、図２の（ｂ）にて示した「基材帯部１１ａ」が斜めに延びることになり、図８の左右方向に植生マットを縮ませるからだと考えられる。換言すれば、端縁にも多数の切れ込みが位置している植生マットを、図示上下に引っ張って各切れ込みを開いて開口としたときには、植生マットの上下方向の略中央部分が、図示横方向には縮んでしまうと言う現象が発生するのである。
【００４２】
この植生マットは、例えば図８の（ａ）に示した設置箇所２２内を隙間無く埋めるために使用されるのであるが、これを広げたときに、図８の（ｂ）に示した隙間２３が形成されると、この隙間２３部分が法面２０上に多数並んで見栄えが悪いだけでなく、当外法面２０の植生が十分行えないことになる。
【００４３】
その点、この植生マット１０では、マット基材１１に切れ込み１４が存在しない無開口帯部１６を形成したから、この部分では横方向に縮むことはなく、この植生マット１０を広げて法面２０上の設置箇所２２に設置しても、図７の（ｂ）に示すように、隙間２３を形成することは殆ど無いのである。
【００４４】
従って、これらの請求項１または請求項２に係る植生マット１０は、上記と同様な作用を発揮する他、施工箇所において、法面２０上に隙間２３を形成することは殆どないのである。
【００４５】
そして、上記課題を解決するために、請求項３に係る発明の採った手段は、
「ジュート、綿、あるいはパルプ等の天然繊維によって、厚さ３ｍｍ〜１０ｃｍに形成したマット基材１１に、内側壁面１１ｂが法面２０の設置面２１に対して立ち上がることになる基材帯部１１ａと、多数の開口１２とを形成し、かつマット基材１１に、植生帯１３及び保形網１５を一体化した植生マット１０を、次の各工程を経て製造することを特徴とする植生マット１０の製造方法。
（１）マット基材１１に、互いに平行で交互に位置する多数の切れ込み１４を入れることにより、互いに連続して切れ込み端面が内側壁面１１ｂとなる基材帯部１１ａと、切れ込み１４が存在しないで、かつ各切れ込み１４の方向と略平行となる無開口帯部１６とを形成する工程；
（２）マット基材１１に、各切れ込み１４の方向と直交または略直交する方向の引張力を与えて、無開口帯部１６を残したまま、各切れ込み１４を開いて各開口１２とする工程；
（３）マット基材１１の表面または裏面に保形網１５を一体化する工程；
（４）マット基材１１の裏面側に植生帯１３を一体化する工程」
である。
【００４６】
すなわち、この請求項３の発明は、上記請求項１〜請求項２のいずれかに係るの植生マット１０を具体的に製造する方法に関するものであり、これによって上述した各植生マット１０を確実に製造するようにしたものである。
【００４７】
まず、工程（１）では、図６の（ａ）に示すように、上述してきたマット基材１１に互いに平行で交互に位置する切れ込み１４を多数入れるのである。各切り込み１４は、切り込み加工後のマット基材１１がバラバラになってしまわないようにするために、互いに平行で交互に位置する必要がある。
【００４８】
工程（２）では、図６の（ｂ）に示すように、マット基材１１に、各切れ込み１４の方向と直交または略直交する方向の引張力を与えて各切れ込み１４を開き、これによって開口１２を形成するのである。そのままだと、マット基材１１自体が有している復元力によって各開口１２が閉じてしまうことがあるから、次の工程（３）を経るのである。
【００４９】
工程（３）では、マット基材１１の表面または裏面に保形網１５を一体化するのである。マット基材１１の表面または裏面に保形網１５を一体化することによって、マット基材１１自体が有している復元力によって各開口１２が閉じてしまうことを防止するのである。この場合、「シート基材１１の裏面側」とは、シート基材１１の裏面に直接一体化する場合（図１〜図４に示したものの場合）を含むものである。
【００５０】
そして、工程（４）において、マット基材１１の裏面側に、植生帯１３を一体化する。この場合、上記の工程（３）中の「シート基材１１の裏面側」とは、シート基材１１の裏面にまず保形網１５を一体化しておきこの保形網１５を挟んで植生帯１３をシート基材１１に一体化する場合（図５に示したものの場合）をも含む意味である。
【００５１】
従って、この請求項３の製造方法は、上述した請求項１〜請求項２のいずれかに係る植生マット１０を、簡単かつ確実に製造することができるのである。
【発明の効果】
【００５２】
以上説明した通り、本発明においては、
「法面２０の設置面２１上に設置されて、当該法面２０の植生を行う植生マット１０であって、
ジュート、綿、あるいはパルプ等の天然繊維によって、厚さ３ｍｍ〜１０ｃｍに形成したマット基材１１と、このマット基材１１に互いに平行で交互に位置する多数の切れ込み１４を入れることにより形成されて、互いに連続して切れ込み端面が内側壁面１１ｂとなる基材帯部１１ａと、マット基材１１の一部に形成されて、切れ込み１４が存在せず、かつ各切れ込み１４の方向と略平行となる無開口帯部１６と、各切れ込み１４を開くことにより形成した多数の開口１２と、マット基材１１の表面または裏面に一体化した保形網１５と、マット基材１１の裏面側に一体化した植生帯１３とを備えたこと」
に主たる特徴があり、これにより、その製造工程においてゴミが全く発生せず、保水性や保温性にも優れ、しかも十分な流亡防止を図ることができる他、施工箇所において、法面２０上に隙間２３を形成することが殆どない植生シート１０を、簡単な構造によって提供することができるのである。
【００５３】
また、請求項３の発明においては、
「ジュート、綿、あるいはパルプ等の天然繊維によって、厚さ３ｍｍ〜１０ｃｍに形成したマット基材１１に、内側壁面１１ｂが法面２０の設置面２１に対して立ち上がることになる基材帯部１１ａと、多数の開口１２とを形成し、かつマット基材１１に、植生帯１３及び保形網１５を一体化した植生マット１０を、次の各工程を経て製造することを特徴とする植生マット１０の製造方法。
（１）マット基材１１に、互いに平行で交互に位置する多数の切れ込み１４を入れることにより、互いに連続して切れ込み端面が内側壁面１１ｂとなる基材帯部１１ａと、切れ込み１４が存在しないで、かつ各切れ込み１４の方向と略平行となる無開口帯部１６とを形成する工程；
（２）マット基材１１に、各切れ込み１４の方向と直交または略直交する方向の引張力を与えて、無開口帯部１６を残したまま、各切れ込み１４を開いて各開口１２とする工程；
（３）マット基材１１の表面または裏面に保形網１５を一体化する工程；
（４）マット基材１１の裏面側に植生帯１３を一体化する工程」
にその構成上の特徴があり、これにより、上記請求項１〜３の植生マット１０を確実かつ簡単に製造することができるのである。
【発明を実施するための最良の形態】
【００５４】
次に、上述した発明を、図面に示した最良の形態である植生マット１０についてその製造方法とも併せて説明すると、次の通りである。
【００５５】
図１には、最良形態に係る植生マット１０を法面２０の表面、つまり設置面２１上に施工した状態が示してあり、この植生マット１０によって施工した法面２０には、多数の開口１２が開口している。この植生マット１０は、図３〜図６に示したように、多数の開口１２を形成したマット基材１１の裏面側に植生帯１３を一体化したものであり、図３及び図４に示したように、マット基材１１の表面に、また図５に示したように、マット基材１１の裏面に保形網１５を一体化したものである。
【００５６】
植生マット１０の基本部分となるマット基材１１は、ジュート、綿、あるいはパルプ等の天然繊維によって、厚さ３ｍｍ〜１０ｃｍに形成したシート状物であり、それ自体吸水性と生分解性を有したものである。なお、このようなジュート、綿、あるいはパルプ等の天然繊維に、木材を細長く削って線状あるいは繊維状にしたもの、繊維くず、生分解性を有する合成繊維等の各種材料を、ある程度混入あるいは含ませることは可能である。
【００５７】
このマット基材１１の厚さは、実際上の加工性を考慮すると、５ｍｍ〜５ｃｍ程度が好ましく、大きさとしては、１ｍ×１０ｍ程度となるようにするのが、通常の土木工事で使用されている基準寸法に合っていて有利である。
【００５８】
さらに、このマット基材１１には、特に図２の（ｂ）に示したように、多数の基材帯部１１ａが互いに連続状態となるように形成してある。これらの基材帯部１１ａは、互いに連続しており、しかも文字通り帯状物となっていることから十分な可撓性を有したものとなっているため、法面２０上の凸凹に応じて容易に変形するものとなっている。そして、これらの各基材帯部１１ａが連続状態となっていることにより、図２の（ｂ）中の矢印にて示したように、当該マット基材１１中に、吸い取った雨水等の水分を上方から下方に流す一種の排水路が形成されることになる。
【００５９】
さらに、これらの基材帯部１１ａの切り込み端面、すなわち内側壁面１１ｂは、法面２０の設置面２１に対して立ち上がっている。これらの内側端面１１ｂは、図２の（ａ）及び（ｂ）にそれぞれ示したように、上方から流れて降りてきた、あるいは開口１２内で露出した土砂３０を堰止めるものとなって、土砂３０の流亡防止を図ることになる。
【００６０】
このマット基材１１には、多数の開口１２が形成してあったが、これら各開口１２は、単にマット基材１１にパンチングによって形成したものであると当該開口１２分の無駄な部分が発生するから、本最良形態では、図６に示したような方法によって形成するようにしている。
【００６１】
すなわち、各開口１２は、図６の（ａ）に示したように、まず、マット基材１１に互いに平行で交互に位置する多数の切れ込み１４を入れることによって形成される。次に、このマット基材１１に対して、図６中の矢印にて示したように、各切れ込み１４の方向と直交または略直交する方向の引張力を与えて各切れ込み１４を開き、これを、図６の（ｂ）に示したように、各開口１２とするのである。
【００６２】
勿論、各切れ込み１４を開いて各開口１２としたときには、マット基材１１はそれ自身が有している復元力によって縮むことがある。この縮みを阻止するためには、図４に示したように、マット基材１１の裏面に植生帯１３を、またマット基材１１の表面に保形網１５が一体化してある。なお、図５に示したように、マット基材１１の裏面に一体化した後述する保形網１５を介した状態で、マット基材１１の裏面に植生帯１３を一体化することもある。
【００６３】
そして、この植生シート１０は、そのシート基材１１の裏面側に、帯内種子１３ａを添着または接着した植生帯１３を一体化したものである。この植生帯１３は、図１〜図４に示したように、シート基材１１の裏面に直接一体化したり、図５に示したように、シート基材１１の裏面に一体化した保形網１５を挟んで一体化されることもあることは前述した通りである。
【００６４】
この植生帯１３は、シート基材１１を構成するシート材を薄く形成したものであってもよいが、紙、合成繊維や天然繊維によって網状あるいは布状に形成したもの、合成繊維や天然繊維によって形成した不織布等の素材が適用できる。また、この植生帯１３には、上記帯内種子１３ａの他、保水材、土壌改良材、または肥料を添着または接着したもの、あるいはその近傍で採取された在来植物の種子を添着または接着したもの、さらにはこれらの保水材、土壌改良材、または肥料、あるいは在来植物の種子の混合物を添着あるいは接着したものであってもよい。
【００６５】
この最良形態の植生マット１０においては、その植生帯１３に添着または接着した草本類植物の種子１３ａの量は、１０ｇ／ｍ2以下としてあり、従来のものに比して約半分以下の量としたものである。この帯内種子１３ａの具体的なものとしては、ヨモギ、ススキ、メドハギ、チガヤ、イタドリ、トールフェスクなどのフェスク類、ケンタッキーブルーグラスやイタリアングラスあるいはバミューダグラス等がある。
【００６６】
以上のような量の帯内種子１３ａであっても、この植生マット１０は、施工直後の植生を十分行えるのであり、施工直後の法面２０上に植物による保護ができる。勿論、帯内種子１３ａの量がこの程度であれば、各開口１２にて捕捉された飛来種子の被圧をすることもなく、在来植物の駆逐を行う程の繁茂をすることもない。
【００６７】
植生帯１３が、これに保水材、土壌改良材、または肥料を添着または接着したものである場合、帯内種子１３ａは勿論、各開口１２によって捕捉した飛来種子を生育させるための水、土壌改良材、または肥料を供給するし、近傍で採取された在来植物の種子を添着または接着したものである場合、この在来植物による植生を行う。
【００６８】
一方、保形網１５としては、図４の（ａ）に示したような亀の甲（正六角形の連続物）状の網目１５ａを有するもの、あるいは図５の（ａ）に示したような格子状の網目１５ａを有するものに、金属線材を網状に編み込んだものが採用される。勿論、この保形網１５としては、金属薄板にパンチングを施したもの、あるいは所定の剛性を有する合成樹脂繊維あるいは天然繊維によって網として形成したもの、さらには厚紙に穴を多数形成したもののいずれも適用できる。ただし、この保形網１５は、各開口１２による飛来種子の捕捉が行えるようにする必要があるから、図４にも示したような網目１５ａが存在していなければならない。
【００６９】
そして、図７には、植生マット１０の平面図が示してあるが、この植生マット１０の上述した最良形態のものと異なる点は、マット基材１１の一部に、切れ込み１４が存在せず、かつ各切れ込み１４の方向と略平行となる無開口帯部１６を形成したことである。
【００７０】
この場合も、各切れ込み１４は、図７の（ａ）にて示したように、その切れ込み方向に列として並んでいて、これらの列は互いに等間隔してある。また、隣接する列においては、それぞれの切れ込み１４が交互に位置するようにしてある。これによって、各切れ込み１４を開いて各開口１２としたときには、図７の（ｂ）に示したように、各開口１２は無開口帯部１６の上下において交互に位置することになる。
【００７１】
各無開口帯部１６は、図７の（ａ）にて示したように、各切れ込み１４からなる列を２列分省略したものであってもよいし、３列分あるいは４列分省略したものであってもよい。また、これらの無開口帯部１６の間に位置する切れ込み１４の列は、最良形態のように５列であっても、またそれ以上であってもよいが、各切れ込み１４を十分な大きさの開口１２とするために、最低３列が各無開口帯部１６の間に位置するようにするとよいようである。
【００７２】
なお、各切れ込み１４を開口１２とするには、当該シート基材１１を機械に掛けて順に引っ張るのであるが、各無開口帯部１６は変化しないものであるから、この機械による引っ張り力をシート基材１１にうまく掛けることができて、各開口１２を均等な大きさのものにすることができるといった作用を、当該無開口帯部１６は発揮することにもなる。
【００７３】
換言すれば、開くことがない無開口帯部１６が、シート基材１１に、均等に存在していることによって、各切れ込み部１４を機械的に開く作業を、シート基材１１の一部だけについて、つまり二本の無開口帯部１６間の寸法範囲で行えばよいので、機械の構成自体もコンパクトなものとすることができるのである。
【産業上の利用可能性】
【００７４】
以上のようにした植生マット１０は、マット基材１１を生分解性のものを主として利用し、これを飛来種子のための肥料にもするものであるから、例えばゴミ処理問題を解決する一つの手段としても採用できるものである。
【図面の簡単な説明】
【００７５】
【図１】本発明に係る植生マットを施工した法面を示す斜視図である。
【図２】図１中の植生マットの一部を拡大して示したもので、（ａ）は法面の縦断面図、（ｂ）はマット基材の拡大平面図である。
【図３】図１中の植生マットの一部を拡大して示した部分拡大斜視図である。
【図４】植生帯及び保形網を有した植生マットを部分的に示すもので、（ａ）は分解斜視図、（ｂ）は施工時の断面図である。
【図５】植生帯及び保形網を有した植生マットの他の例を部分的に示すもので、（ａ）は分解斜視図、（ｂ）は施工時の断面図である。
【図６】植生マットを構成するマット基材に開口を形成する方法を示すもので、（ａ）は切り込みを入れた状態の部分平面図、（ｂ）は切り込みを広げて開口とした状態の部分平面図である。
【図７】無開口帯部を有した植生マットを示すもので、（ａ）は各切れ込みを広げていない状態の平面図、（ｂ）は各切れ込みを広げた状態の平面図である。
【図８】無開口帯部を有していない植生マットを示すもので、（ａ）は各切れ込みを広げていない状態の平面図、（ｂ）は各切れ込みを広げた状態の平面図である。
【図９】従来の技術を示す部分破断斜視図である。
【図１０】従来の他の技術を示す部分破断斜視図である。
【符号の説明】
【００７６】
１０    植生マット
１１    マット基材
１１ａ  基材帯部
１１ｂ  内側壁面
１２    開口
１３    植生帯
１３ａ  帯内種子
１４    切り込み
１５    保形網
１５ａ  網目
１６    無開口帯部
２０    法面
２１    設置面
３０    土砂
【図１】
0004787189.tif 000002
【図２】
0004787189.tif 000003
【図３】
0004787189.tif 000004
【図４】
0004787189.tif 000005
【図５】
0004787189.tif 000006
【図６】
0004787189.tif 000007
【図７】
0004787189.tif 000008
【図８】
0004787189.tif 000009
【図９】
0004787189.tif 000010
【図１０】
0004787189.tif 000011